(57)【要約】【課題】毛布衿の保温機能が向上されると共に、触感及びフィット性により優れた別衿付保温毛布を提供すること。【解決手段】毛布本体１１と、毛布本体１１の一辺に、ほとんど重なることなく縫い付けられた２層構造の付け衿部１２とを備え、２層構造の付け衿部１２の層間に、保温部材１５が２層に折り重ねられ、縫い付けられた状態で配設される。【選択図】図５
0003167233.tif 000002
【実用新案登録請求の範囲】
【請求項１】
毛布本体と、該毛布本体の一辺に、ほとんど重なることなく縫い付けられた２層構造の付け衿部とを備え、
該２層構造の付け衿部の層間に、保温部材が配設されていることを特徴とする別衿付保温毛布。
【請求項２】
前記保温部材が、前記２層構造の付け衿部の層間に２層に折り重ねられ、縫い付けられた状態で配設されていることを特徴とする請求項１記載の別衿付保温毛布。
【請求項３】
前記付け衿部を構成する生地と前記保温部材とが、キルティング加工により縫合されていることを特徴とする請求項２記載の別衿付保温毛布。
【請求項４】
前記保温部材が、天然繊維及び／又は人工繊維を素材とした綿からなることを特徴とする請求項１〜３のいずれかの項に記載の別衿付保温毛布。
【請求項５】
前記付け衿部に、前記毛布本体の生地よりも触感に優れた生地が採用されていることを特徴とする請求項１〜４のいずれかの項に記載の別衿付保温毛布。
【請求項６】
前記付け衿部と前記毛布本体との縫い付け部が飾りテープにより覆われていることを特徴とする請求項１〜５のいずれかの項に記載の別衿付保温毛布。
【考案の詳細な説明】
【技術分野】
【０００１】
本考案は毛布に関し、より詳細には付け衿を有する別衿付保温毛布に関する。
【背景技術】
【０００２】
毛布の触感及び保温機能を向上させるために、図７に示すような衿付き毛布２０が従来から提案されている。図７に示したように、衿付き毛布２０は、長方形形状をした毛布本体２１と、該毛布本体２１の片方の短辺に縫い付けられている付け衿２２とを含んで構成されている。毛布本体２１としては、織毛布、タフト毛布、又はマイヤー毛布などが使用される。付け衿２２は、毛布本体２１と別の部材が２層に折り畳まれて毛布本体２１の片方の短辺近傍部分を覆うように、毛布本体２１の前記短辺部分と３０ｃｍ程度重なり合って毛布本体２１に縫い付けられている。
【０００３】
前記マイヤー毛布は、編み毛布の生地に両面起毛処理が施された１枚もののニューマイヤー毛布と、片面のみ起毛処理が施された２枚の編み毛布の起毛処理が施されていない面を張り合わせて構成された合わせマイヤー毛布に分類される。
【０００４】
合わせマイヤー毛布の場合、首が当たる部分の触感及び保温性を向上させるために、図８に示す衿返し毛布３０が提案されている。図８に示したように、衿返し毛布３０は、長方形形状をした表生地３１と、長辺が表生地３１よりも１５〜３０ｃｍ程度長くなっている長方形形状をした裏生地３２とを含んで構成されている。表生地３１及び裏生地３２はいずれも片面のみ起毛処理が施され、それぞれの起毛処理が施されていない面を張り合わせ面としている。表生地３１と裏生地３２は、それぞれの両長辺及び一短辺を揃うように張り合わせられ、表生地３１より長くなっている裏生地３２の部分が図８に示したように表生地３１の方へ折り返され、その端部で表生地３１と裏生地３２とが縫い付けられている。
【０００５】
図８に示した衿返し毛布３０よりも、さらに保温性を向上させた図９に示す綿入り衿返し毛布４０も提案されている。図９に示したように、綿入り衿返し毛布４０は、衿となる部分の表生地４１と裏生地４２との間に、２０〜４０ｃｍ程度の長さ及び表生地４１と同じ幅からなる長方形の綿層４３が設けられていることを除いては、衿返し毛布３０と同じ構成になっている。なお、綿層４３の素材として、耐久性に優れたパンチ加工綿や、様々な機能を有する綿などが使われる。
【０００６】
しかしながら、図７に示した衿付き毛布２０の場合、図８に示した衿返し毛布３０の場合、及び図９に示した綿入り衿返し毛布４０の場合、それぞれ首が当たる部分の触感を改善することはできるが、いずれも毛布衿の部分に生地が多層に重なっているため、硬く重くなり、毛布を使用する人の肩まわりに余分な重さを加え、フィット性にも劣り、その結果、保温性にも悪影響を与えるといった課題があった。
【考案の概要】
【課題を解決するための手段およびその効果】
【０００７】
本考案は上記課題に鑑みなされたものであって、毛布衿の保温機能がより一層向上され、触感及びフィット性にも優れた別衿付保温毛布を提供することを目的としている。
【０００８】
上記目的を達成するために、本考案に係る別衿付保温毛布（１）は、毛布本体と、該毛布本体の一辺に、ほとんど重なることなく縫い付けられた２層構造の付け衿部とを備え、該２層構造の付け衿部の層間に、保温部材が配設されていることを特徴としている。
上記別衿付保温毛布（１）によれば、前記毛布本体と重なり合うことなく該毛布本体に縫い付けられた前記付け衿部の中に、前記毛布本体とは異なる前記保温部材が配設されているため、保温機能がより一層向上され、しかもフィット性も改善された保温衿付き毛布を提供することができる。
【０００９】
また、本考案に係る別衿付保温毛布（２）は、上記別衿付保温毛布（１）において、前記保温部材が、前記２層構造の付け衿部の層間に２層に折り重ねられ、縫い付けられた状態で配設されていることを特徴としている。
上記別衿付保温毛布（２）によれば、前記保温部材が、前記２層構造の付け衿部の層間に２層に折り重ねられ、縫い付けられた状態で配設されているので、前記付け衿部のボリューム感を一層高めることができるとともに、前記付け衿部の層間における前記保温部材の片寄りや位置ずれを防止する効果を高めることができる。
【００１０】
また、本考案に係る別衿付保温毛布（３）は、上記別衿付保温毛布（２）において、前記付け衿部を構成する生地と前記保温部材とが、キルティング加工により縫合されていることを特徴している。
上記別衿付保温毛布（３）によれば、前記付け衿部を構成する生地と前記保温部材とが、キルティング加工により縫合されているので、前記付け衿部の幅を大きくした場合（例えば、３０〜６０ｃｍ程度とした場合）であっても、前記付け衿部の層間における前記保温部材の片寄り、位置ずれ、へたりを防止する効果を高めることができる。
【００１１】
また本考案に係る別衿付保温毛布（４）は、上記別衿付保温毛布（１）〜（３）のいずれかにおいて、前記保温部材が、天然繊維及び／又は人工繊維を素材とした綿からなることを特徴としている。
一般的に、毛布生地に比べて、綿の方が保温性に優れる上、柔軟性及び軽量性にも優れているため、上記別衿付保温毛布（４）によれば、前記保温部材として綿が使用されることにより、保温機能が向上されるだけではなく、前記付け衿部が重くならず、ボリューム感を出すことができ、しかもフィット性にも優れた付け衿を実現することができる。
【００１２】
また、本考案に係る別衿付保温毛布（５）は、上記別衿付保温毛布（１）〜（４）のいずれかにおいて、前記付け衿部に、前記毛布本体の生地よりも触感に優れた生地が採用されていることを特徴としている。
上記別衿付保温毛布（５）によれば、前記毛布本体よりも触感に優れた生地が前記付け衿部の生地として採用されているため、前記付き衿部の保温機能を向上させるとともに、触感もさらに改善することができる。
【００１３】
また、本考案に係る別衿付保温毛布（６）は、上記別衿付保温毛布（１）〜（５）のいずれかにおいて、前記付け衿部と前記毛布本体との縫い付け部が飾りテープにより覆われていることを特徴としている。
上記別衿付保温毛布（６）によれば、前記付け衿部と前記毛布本体との縫い付け部が飾りテープにより覆われているので、縫製結合部の外観をよくし、段差が感じられないものにすることができる。
【図面の簡単な説明】
【００１４】
【図１】本考案の実施の形態に係る別衿付保温毛布を示す平面図である。
【図２】毛布本体及び付け衿部の構成をそれぞれ示す斜視図である
【図３】付け衿部が毛布本体に縫い付けられた状態を示す斜視図である。
【図４】付け衿部が毛布本体に縫い付けられ折り返された状態を示す斜視図である。
【図５】付け衿部の長辺に飾りテープが縫製された状態を示す斜視図である。
【図６】飾りテープが縫製された別衿付毛布の下辺及び両側辺にヘムが縫製された完成品を示す斜視図である。
【図７】従来の衿付き毛布の一例を示す斜視図である。
【図８】従来の折返し毛布の一例を示す斜視図である。
【図９】従来の綿入り衿付き毛布の一例を示す斜視図である。
【考案を実施するための形態】
【００１５】
以下、本考案に係る別衿付保温毛布の実施の形態を図面に基づいて説明する。図１は本考案の実施の形態に係る別衿付保温毛布１０を示す平面図である。
図中１１は毛布本体を示しており、長方形形状をした毛布本体１１の上辺部には付け衿部１２が毛布本体１１とほとんど重なり合うことなく縫い付けられている。付け衿部１２は２層構造になっており、その層間に保温部材１５（図２）が配設されている。付け衿部１２と毛布本体１１との間の縫い付け部には飾りテープ１３が縫着されており、前記縫い付け部分が外部からは見えないように覆われている。また、毛布の上辺１０ａを除く、毛布の下辺１０ｂ及び両側辺１０ｃにはヘム１４が施されている（すなわち、ヘムテープで包み込んで縫着してヘム加工が施されている）。
【００１６】
図２は毛布本体１１及び付け衿部１２の構成をそれぞれ示す斜視図である。毛布本体１１は、図２に示したように、長方形形状をした毛布生地により構成されている。毛布本体１１の生地は、素材及び織方法によって制限されることはなく、一般的には、アクリル、ウール、シルク又はコットンなどを素材とした細いタテ糸と太いヨコ糸を使って二重に織って造られた生地を起毛して仕上げられた織毛布、主にアクリルを素材とした基布にパイル糸を植え付けて造られた生地を起毛して仕上げられたタフト毛布、又はアクリルとコットンを素材とした毛足になるパイル糸が高級細番手で編み上げられたマイヤー毛布などを毛布本体１１の生地とすることができる。前述したように、前記マイヤー毛布には、ニューマイヤー毛布と合わせマイヤー毛布とが含まれている。
【００１７】
毛布本体１１の生地は、１枚毛布（例えば、織毛布）又は合わせ毛布（例えば、合わせマイヤー毛布）とすることができる。毛布本体１１として合わせ毛布が使われた場合であっても、付け衿部１２は別体で構成されているので、付け衿部分を軽く柔らかく保つことができ、しかも付け衿部１２から毛布本体１１まで全体的に保温性に優れた毛布を提供することが可能となる。
【００１８】
また、付け衿部１２は、略平パイプ形状（側面視略楕円又は長円形状）をした２層構造となっており、その長さは、毛布本体１１の短辺と同じ寸法を有し、幅寸法は１５〜６０ｃｍ程度の範囲で設定される。付け衿部１２の２層の間には、付け衿部１２と同じ長さ、ほぼ同じ幅からなる略長方形形状をした保温部材１５が付け衿部１２の２層に挟まれるように折り重ねられ、縫い付けられた状態で配置されている。
【００１９】
すなわち、付け衿部１２は、１枚の長方形部材（生地）の表側を外向きにし、該生地の裏側面一面に所定量の保温部材１５（例えば、１平方メートル当たり７０ｇ〜１３０ｇに相当する量の綿）を配置した後、前記長方形部材の両長辺１２ｂを対向するように２層に畳み、保温部材１５は折り重ねられた状態とし、その両長辺１２ｂの縁部を縫い合わせることにより形成することができる。なお、前記長方形部材の両長辺１２ｂの縁部と共に保温部材１５の縁部も一緒に縫い付けられるようになっている。
【００２０】
付け衿部１２の生地は、毛布本体１１と同じ生地であってもよいが、異なる生地が採用されてもよい。毛布本体１１よりも触感に優れた生地を使うことにより、経済性を保ちながら、触感をより一層向上させることができる。
触感は使われる生地の素材と織方法によって異なる。求める感触に合わせて、付け衿部１２の生地を選択することが望ましい。例えば、シルクを素材とした織毛布生地を付け衿部１２の生地とした場合、通気性、吸湿性、保温性，放湿性などに優れ、しかも静電気が起こりにくく、皮膚への刺激も少ない付け衿部１２を実現することができる。また、コットンの織毛布又はニューマイヤー毛布生地を付け衿部１２の生地とした場合、やわらかく吸湿性とフィット性に富み、洗濯もしやすい付け衿部１２を実現することができる。また、アクリルを素材とした長い立毛が密生したニューマイヤー毛布生地を付き衿１２の生地とした場合、保温性と触感に優れた付け衿部１２を実現することができる。
【００２１】
保温部材１５は、様々な天然繊維及び／又は人工繊維を素材とした綿によって構成されるが、保温性、触感及びフィット性に優れた付け衿部１２を実現するために、柔らかく軽いしかも保温性の高い綿を使用することが望ましい。具体的には、使用目的に応じて、綿の素材を選択することが望ましい。例えば、羽毛の綿を保温部材１５の素材とした場合、軽量性と保温性に優れた付け衿部１２を実現することができ、真綿を保温部材１５の素材とした場合、軽量性、保温性及び吸湿性に優れた付け衿部１２を実現することができ、また、化繊の綿を保温部材１５の素材とした場合、弾力性及び経済性に優れた付け衿部１２を実現することができる。又は、保温部材１５の厚さは、０．５〜５ｃｍの範囲で設定すればよく、毛布本体１１又は付け衿部１２の生地の素材や幅寸法などに合わせてその厚さを調整することが可能である。
【００２２】
綿は高い保温機能を有する他に、毛布生地より遥かに軽く柔らかいので、このように、綿を素材とした保温部材１５が付け衿部１２の層間に２層に折り重ねられた状態で配設されることにより、毛布の生地を重ねた従来の衿付き毛布２０（図７）、衿返し毛布３０（図８）又は綿入り衿返し毛布４０（図９）に比べて、本案の別衿付保温毛布１０は、保温性がより一層向上されるだけではなく、軽く柔らかくなるため触感及びフィット性も大幅に改善される。また、保温部材１５である綿が、２層構造の付け衿部１２の層間に２層に折り重ねられ、縫い付けられた状態で配設されているので、付け衿部１２のボリューム感を一層高めることができるとともに、付け衿部１２の層間における保温部材１５である綿の片寄りや位置ずれを防止する効果を高めることができる。
【００２３】
なお、付け衿部１２の幅を大きくする場合（例えば、３０ｃｍ以上とする場合）には、付け衿部１２層間における保温部材１５（綿）の片寄り、位置ずれ、へたりを防止する効果をより高めるために、付け衿部１２の生地と保温部材１５とが、キルティング加工により縫合された構成が採用され得る。キルティング模様等は特に限定されず、ジグザグ形、波形、格子柄等にすることができ、また、全面にキルティング加工を施さずに、部分的に、例えば、幅方向の中央部付近のみにキルティング縫合を施すようにしてもよい。
【００２４】
図３、図４は、付け衿部１２が毛布本体１１に縫い付けられた状態をそれぞれ示す斜視図である。図３に示したように、裏側が上向きになるように付け衿部１２を表側が上向きになっている毛布本体１１の上に載せ、そして毛布本体１１の片方の短辺１１ａと付け衿部１２の長辺１２ｂとが揃うように両者を一緒に縫い上げ、その後、図４に示したように、付け衿部１２を表側が上向きになるように折り返す。
このように、付け衿部１２は毛布本体１１とほとんど重なり合うことなく毛布本体１１に縫い付けられるため、付け衿部１２に高い柔軟性を持たせることができる。
【００２５】
図５は、図４に示した状態からさらに付け衿部１２と毛布本体１１との間の縫い付け部に飾りテープ１３が施された状態を示す斜視図である。図５に示したように、２つの飾りテープ１３は、付け衿部１２と毛布本体１１との縫製結合部分の表裏両面を覆うように付け衿部１２の長辺１２ｂ及び毛布本体１１の一短辺１１ａの端部を含んで縫製される。飾りテープ１３は付け衿部１２の長辺及び毛布本体１１の短辺と同じ長さ、及び１〜５ｃｍ程度の幅を有している。付け衿部１２及び毛布本体１１の生地の厚さなどに応じて飾りテープ１３の幅を決めることにより、前記縫製結合部分の段差を感じなくすることができる。例えば、厚い生地には広い幅を使い、薄い生地には狭い幅を使うことが好ましい。また、飾りテープ１３の生地として、通常の毛布用ヘム生地又は飾りテープ用生地を用いることができるが、付け衿部１２及び毛布本体１１の生地に合わせて飾りテープの生地を選ぶことが望ましい。
【００２６】
このように、飾りテープ１３を使うことにより、付け衿部１２と毛布本体１１との縫製結合部分を外部から見えないようにカバーすることができるだけではなく、前記縫製結合部分の段差を調整することもできる。なお、飾りテープ１３を、付け衿部１２と毛布本体１１との縫製結合部分の表面（片側面）のみに縫着するようにしてもよい。
【００２７】
図６は、飾りテープ１３が縫製された別衿付保温毛布１０の下辺１０ｂ及び両側辺１０ｃにヘム１４が縫製された状態（完成品）を示す斜視図である。図６に示したように、ヘム１４が、別衿付保温毛布１０の下辺１０ｂ及び両側辺１０ｃの端部を包むように毛布本体１１及び付け衿部１２に縫い付けられて、別衿付保温毛布１０が仕上げられている。
【符号の説明】
【００２８】
１０  別衿付保温毛布
１１  毛布本体
１２  付け衿部
１３  飾りテープ
１４  ヘム
１５  保温部材
【図１】
0003167233.tif 000003
【図２】
0003167233.tif 000004
【図３】
0003167233.tif 000005
【図４】
0003167233.tif 000006
【図５】
0003167233.tif 000007
【図６】
0003167233.tif 000008
【図７】
0003167233.tif 000009
【図８】
0003167233.tif 000010
【図９】
0003167233.tif 000011